(57)【要約】【課題】端子の組付における弾性片の過度な変形を防止し、端子と相手端子との導通不良を防止することができるコネクタを提供する。【解決手段】接触部３が設けられた弾性片５を有する端子７と、この端子７を収容する第１ハウジング９と、第２ハウジング１１と、接触部３に接触される被接触部１３を有する相手端子１５とを備えたコネクタ１において、第１ハウジング９が、端子７の弾性片５の付勢方向に揺動可能に設けられ端子７を支持し第１ハウジング９と第２ハウジング１１との正規嵌合状態で第２ハウジング１１に設けられた被ロック部１７に係止されるロック部１９と、端子７の弾性片５と対向して設けられ第１ハウジング９と第２ハウジング１１とが正規嵌合状態となるまでの間にロック部１９の揺動により弾性片５と当接して弾性片５の付勢力に抗して弾性片５を変位させる変位部２１とを有し、変位部２１を、弾性片５の付勢方向に撓み可能に設けた。【選択図】図４
2014229461.tif 000002
【特許請求の範囲】
【請求項１】
接触部が設けられた弾性片を有する端子と、この端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手端子とを備えたコネクタであって、
前記第１ハウジングは、前記端子の弾性片の付勢方向に揺動可能に設けられ前記端子を支持し前記第１ハウジングと前記第２ハウジングとの正規嵌合状態で前記第２ハウジングに設けられた被ロック部に係止されるロック部と、前記端子の弾性片と対向して設けられ前記第１ハウジングと前記第２ハウジングとが正規嵌合状態となるまでの間に前記ロック部の揺動により前記弾性片と当接して前記弾性片の付勢力に抗して前記弾性片を変位させる変位部とを有し、
前記変位部は、前記弾性片の付勢方向に撓み可能に設けられていることを特徴とするコネクタ。
【請求項２】
請求項１記載のコネクタであって、
前記変位部には、前記ロック部の揺動が最大となったときに前記端子の弾性片の変位を最大にさせる支点部が設けられていることを特徴とするコネクタ。
【請求項３】
請求項１又は２記載のコネクタであって、
前記変位部の付勢力は、前記弾性片の付勢力より弱く設定され、
前記第２ハウジングには、前記相手端子の被接触部を支持し前記第１ハウジングへの嵌合方向下流側に向けてリブが延設され、
前記リブは、前記第１ハウジングと前記第２ハウジングとが嵌合するときに前記変位部の撓み方向の間に挿入され前記端子の弾性片との当接による前記変位部の撓みを規制することを特徴とするコネクタ。
【発明の詳細な説明】
【技術分野】
【０００１】
本発明は、弾性片を有する端子を備えたコネクタに関する。
【背景技術】
【０００２】
従来、コネクタとしては、接触部が設けられた弾性片を有する端子としての嵌合検知部材と、この嵌合検知部材を収容する第１ハウジングと、この第１ハウジングに嵌合可能な第２ハウジングと、この第２ハウジングに収容され第１ハウジングと第２ハウジングとの正規嵌合状態で弾性片の付勢力により接触部に接触される被接触部を有する相手端子としての嵌合検知コンタクトとを備えたものが知られている（例えば、特許文献１参照）。
【０００３】
このコネクタでは、第１ハウジングと第２ハウジングとを嵌合させ、嵌合検知部材の接触部と嵌合検知コンタクトの被接触部との接触により第１ハウジングと第２ハウジングとの正規嵌合状態を検知することができる。
【０００４】
上記特許文献１のコネクタでは、第１ハウジングに、第１ハウジングと第２ハウジングとの正規嵌合状態で第２ハウジングに設けられた被ロック部としての嵌合突部に係止されるロック部としての弾性嵌合レバーが弾性片の付勢方向と反対側に揺動可能に設けられている。
【０００５】
この弾性嵌合レバーには、固定端部側に嵌合検知部材の基部が嵌装され、先端側に嵌合検知部材の弾性片の先端部が弾性片の付勢力によって付勢されながら当接されている。
【先行技術文献】
【特許文献】
【０００６】
【特許文献１】特開平８−２２８７３号公報
【発明の概要】
【発明が解決しようとする課題】
【０００７】
しかしながら、上記特許文献１のようなコネクタでは、ロック部が弾性片の付勢方向と反対側に揺動可能に設けられ、端子が弾性片の付勢力によってロック部を付勢しながらロック部に支持されているので、第１ハウジングに端子を組付ける際に、ロック部の付勢力や弾性片の付勢力に抗して弾性片を変位させながら端子をロック部に配置させることがあり、弾性片に過度な変形が生じ、相手端子との導通不良が発生する恐れがあった。
【０００８】
そこで、この発明は、端子の組付における弾性片の過度な変形を防止し、端子と相手端子との導通不良を防止することができるコネクタの提供を目的としている。
【課題を解決するための手段】
【０００９】
請求項１記載の発明は、接触部が設けられた弾性片を有する端子と、この端子を収容する第１ハウジングと、この第１ハウジングに嵌合可能な第２ハウジングと、この第２ハウジングに収容され前記第１ハウジングと前記第２ハウジングとの正規嵌合状態で前記弾性片の付勢力により前記接触部に接触される被接触部を有する相手端子とを備えたコネクタであって、前記第１ハウジングは、前記端子の弾性片の付勢方向に揺動可能に設けられ前記端子を支持し前記第１ハウジングと前記第２ハウジングとの正規嵌合状態で前記第２ハウジングに設けられた被ロック部に係止されるロック部と、前記端子の弾性片と対向して設けられ前記第１ハウジングと前記第２ハウジングとが正規嵌合状態となるまでの間に前記ロック部の揺動により前記弾性片と当接して前記弾性片の付勢力に抗して前記弾性片を変位させる変位部とを有し、前記変位部は、前記弾性片の付勢方向に撓み可能に設けられていることを特徴とする。
【００１０】
このコネクタでは、端子を支持するロック部が弾性片の付勢方向に揺動可能に設けられ、ロック部の揺動により弾性片と当接して弾性片の付勢力に抗して弾性片を変位させる変位部が弾性片と対向して設けられているので、端子をロック部に支持させた状態で、ロック部に弾性片の付勢力が入力される部分がない。
【００１１】
また、端子の弾性片と対向して設けられた変位部は、弾性片の付勢方向に撓み可能に設けられているので、端子の第１ハウジングへの組付時に、変位部と弾性片とが干渉しても、変位部が撓むことにより、弾性片の過度な変形を防止することができる。
【００１２】
従って、このようなコネクタでは、端子の組付における弾性片の過度な変形を防止し、端子と相手端子との導通不良を防止することができる。
【００１３】
請求項２記載の発明は、請求項１記載のコネクタであって、前記変位部には、前記ロック部の揺動が最大となったときに前記端子の弾性片の変位を最大にさせる支点部が設けられていることを特徴とする。
【００１４】
このコネクタでは、変位部にロック部の揺動が最大となったときに端子の弾性片の変位を最大にさせる支点部が設けられているので、ロック部の揺動が最大となる第１ハウジングと第２ハウジングとの半嵌合状態で、弾性片の変位が最大となって端子の接触部が相手端子の被接触部から離間され、接触部と被接触部とが接触することがなく、端子と相手端子とが導通することを防止することができる。
【００１５】
請求項３記載の発明は、請求項１又は２記載のコネクタであって、前記変位部の付勢力は、前記弾性片の付勢力より弱く設定され、前記第２ハウジングには、前記相手端子の被接触部を支持し前記第１ハウジングへの嵌合方向下流側に向けてリブが延設され、前記リブは、前記第１ハウジングと前記第２ハウジングとが嵌合するときに前記変位部の撓み方向の間に挿入され前記端子の弾性片との当接による前記変位部の撓みを規制することを特徴とする。
【００１６】
このコネクタでは、変位部の付勢力が弾性片の付勢力より弱く設定されているので、端子の第１ハウジングへの組付時に、変位部と弾性片とが干渉しても、弾性片を変位させることなく、変位部を撓ませることができ、端子の組付における弾性片の変形を確実に防止することができる。
【００１７】
一方、第１ハウジングと第２ハウジングとが嵌合するときには、第２ハウジングに設けられたリブが変位部の撓み方向の間に挿入され、端子の弾性片との当接による変位部の撓みを規制するので、変位部が第１ハウジングと第２ハウジングとの嵌合状態に合わせて弾性片を変位させることができる。
【発明の効果】
【００１８】
本発明によれば、端子の組付における弾性片の過度な変形を防止し、端子と相手端子との導通不良を防止することができるコネクタを提供することができるという効果を奏する。
【図面の簡単な説明】
【００１９】
【図１】本発明の実施の形態に係るコネクタの斜視図である。
【図２】（ａ）は本発明の実施の形態に係るコネクタの第１ハウジングの断面図である。（ｂ）は図２（ａ）の要部拡大図である。
【図３】本発明の実施の形態に係るコネクタの第２ハウジングの断面図である。
【図４】本発明の実施の形態に係るコネクタの第１ハウジングと第２ハウジングとの嵌合途中における断面図である。
【図５】本発明の実施の形態に係るコネクタの第１ハウジングと第２ハウジングとの嵌合完了における断面図である。
【図６】本発明の実施の形態に係るコネクタの第１ハウジングに端子を組付けるときの断面図である。
【図７】本発明の実施の形態に係るコネクタの第１ハウジングに端子を組付けたときに変位部が撓んだときの断面図である。
【発明を実施するための形態】
【００２０】
図１〜図７を用いて本発明の実施の形態に係るコネクタについて説明する。
【００２１】
本実施の形態に係るコネクタ１は、接触部３が設けられた弾性片５を有する端子７と、この端子７を収容する第１ハウジング９と、この第１ハウジング９に嵌合可能な第２ハウジング１１と、この第２ハウジング１１に収容され第１ハウジング９と第２ハウジング１１との正規嵌合状態で弾性片５の付勢力により接触部３に接触される被接触部１３を有する相手端子１５とを備えている。
【００２２】
そして、第１ハウジング９は、端子７の弾性片５の付勢方向に揺動可能に設けられ端子７を支持し第１ハウジング９と第２ハウジング１１との正規嵌合状態で第２ハウジング１１に設けられた被ロック部１７に係止されるロック部１９と、端子７の弾性片５と対向して設けられ第１ハウジング９と第２ハウジング１１とが正規嵌合状態となるまでの間にロック部１９の揺動により弾性片５と当接して弾性片５の付勢力に抗して弾性片５を変位させる変位部２１とを有し、変位部２１は、弾性片５の付勢方向に撓み可能に設けられている。
【００２３】
また、変位部２１には、ロック部１９の揺動が最大となったときに端子７の弾性片５の変位を最大にさせる支点部２３が設けられている。
【００２４】
さらに、変位部２１の付勢力は、弾性片５の付勢力より弱く設定され、第２ハウジング１１には、相手端子１５の被接触部１３を支持し第１ハウジング９への嵌合方向下流側に向けてリブ２５が延設され、リブ２５は、第１ハウジング９と第２ハウジング１１とが嵌合するときに変位部２１の撓み方向の間に挿入され端子７の弾性片５との当接による変位部２１の撓みを規制する。
【００２５】
なお、本実施の形態に係るコネクタ１は、第１ハウジング９と第２ハウジング１１とを嵌合させ、接触部３と被接触部１３との接触により第１ハウジング９と第２ハウジング１１との正規嵌合状態を検知することができる嵌合検知コネクタとなっている。
【００２６】
図１〜図７に示すように、端子７は、薄板状の導電性材料を打ち抜き加工と折り曲げ加工とを施すことにより、基部２７に対して弾性片５と、接触部３とが設けられる。なお、端子７は、２つの導体間を接続させる短絡端子が用いられることが好ましい。
【００２７】
弾性片５は、基部２７の一端側を折り曲げ加工することにより基部２７と連続する一部材で形成され、所定の付勢力を有して弾性変形可能に設けられている。この弾性片５は、基部２７に対して一対の弾性片５，５となるように設けられ、それぞれの先端部には接触部３，３が設けられている。
【００２８】
接触部３は、一対の弾性片５，５の先端部に半円状となるように折り曲げ形成されている。この接触部３は、弾性片５の付勢力によって第２ハウジング１１に収容された相手端子１５の被接触部１３に接触され、端子７と相手端子１５とを電気的に接続させる。
【００２９】
このような端子７は、基部２７が第１ハウジング９のロック部１９に設けられた挿入溝２９に挿入されてロック部１９に支持され、弾性片５と接触部３とが第１ハウジング９内部の収容室３１内に収容配置される。
【００３０】
第１ハウジング９は、合成樹脂などの絶縁性材料からなり、筐体状に形成され、収容室３１と、ロック部１９とを備えている。収容室３１は、第１ハウジング９内部の高さ方向の上側で幅方向の中央部に設けられ、端子７の弾性片５と接触部３とが収容配置されている。また、収容室３１のロック部１９の基端側に位置する壁部には、第２ハウジング１１のリブ２５を挿入可能な開口３３が設けられている。この収容室３１の上方には、ロック部１９が設けられている。
【００３１】
なお、収容室３１の高さ方向の下側と幅方向の両側には、電源や機器などに接続された電線３５の端部に接続された複数の雌端子３７が収容配置される複数の端子収容部３９が設けられている。この複数の端子収容部３９に収容された複数の雌端子３７は、係止ランス４１や端子収容部３９に挿入される二重係止部材４３などと係止することによって抜け止めがなされている。
【００３２】
ロック部１９は、収容室３１の開口３３側を基端として収容室３１の上方に揺動可能に設けられ、挿入溝２９と、係止凸部４５とを備えている。挿入溝２９は、ロック部１９の下面である収容室３１側に設けられ、端子７の基部２７が挿入されて端子７を支持する。このように挿入溝２９に端子７の基部２７を挿入して端子７を支持することにより、ロック部１９の揺動によって端子７の配置位置が変動され、端子７の弾性片５を直接的にロック部１９が変位させることがない。このため、ロック部１９には、端子７をロック部１９に支持させた状態で、端子７の弾性片５の付勢力が入力される部分がない。
【００３３】
係止凸部４５は、ロック部１９の上面の中央部に設けられ、第２ハウジング１１との嵌合方向の前側が傾斜面となっており、嵌合方向の後側が垂直面で形成された係止面となっている。この係止凸部４５は、第１ハウジング９と第２ハウジング１１との嵌合時に、傾斜面が第２ハウジング１１の被ロック部１７と当接することによってロック部１９を下方に向けて揺動させ、第１ハウジング９と第２ハウジング１１との正規嵌合時に、係止面がロック部１９の上方への復元によって被ロック部１７に係止される。
【００３４】
なお、ロック部１９の先端側には、操作部４７が設けられており、操作部４７を下方に向けて押圧操作することによってロック部１９が下方に揺動され、ロック部１９と被ロック部１７との係止が解除され、第１ハウジング９と第２ハウジング１１との嵌合を解除することができる。
【００３５】
第２ハウジング１１は、合成樹脂などの絶縁性材料からなり、筐体状に形成され、フード部４９と、リブ２５とを備えている。フード部４９は、第１ハウジング９との嵌合方向の前側が開口され、第２ハウジング１１の幅方向に、ここでは３つ設けられ、各フード部４９に第１ハウジング９が嵌合可能となっている。また、フード部４９の開口端には、第１ハウジング９のロック部１９の係止凸部４５が当接及び係止される被ロック部１７が下方に向けて延設されている。このフード部４９内には、リブ２５が設けられている。
【００３６】
リブ２５は、フード部４９内において、相手端子１５が挿入される壁部から第１ハウジング９への嵌合方向下流側に向けて延設されている。このリブ２５は、フード部４９内に配置される相手端子１５の被接触部１３を支持し、第１ハウジング９と第２ハウジング１１とを嵌合させることにより、第１ハウジング９の開口３３から挿入部５５内に挿入される。
【００３７】
なお、フード部４９には、基板５１に接続されたＬ字状の複数の雄端子５３の接続部が収容配置されている。この複数の雄端子５３は、第１ハウジング９と第２ハウジング１１とが正規嵌合状態となることにより、第１ハウジング９に収容された複数の雌端子３７に電気的に接続される。
【００３８】
相手端子１５は、導電性材料からなり、Ｌ字状に形成され、一端側が基板５１に接続され、他端側がフード部４９内に挿入されてリブ２５上に支持される被接触部１３となっている。この相手端子１５は、一対の相手端子１５，１５からなり、基板５１に形成された導通回路にそれぞれ接続され、被接触部１３，１３に端子７の接触部３，３がそれぞれ接触することによって端子７を介して一対の相手端子１５，１５が電気的に接続される。
【００３９】
この一対の相手端子１５，１５は、第１ハウジング９と第２ハウジング１１とが正規嵌合状態となったときに、端子７の弾性片５，５の付勢力によって接触部３，３が接触されて導通される。この一対の相手端子１５，１５の導通の有無により、第１ハウジング９と第２ハウジング１１との嵌合状態を検知することができる。このような端子７の弾性片５は、第１ハウジング９に設けられた変位部２１によって変位される。
【００４０】
変位部２１は、第１ハウジング９の収容室３１内でロック部１９に対して対向して設けられ、端子７の弾性片５の付勢方向に撓み可能に、詳細には挿入部５５の下方に位置する底壁部５７側に向けて撓み可能に設けられている。この変位部２１は、挿入部５５から上方に向けた付勢力が端子７の弾性片５の付勢力より弱く設定されている。
【００４１】
このため、端子７を第１ハウジング９に組付ける際に、図６に示すように、弾性片５と変位部２１とが干渉しても、図７に示すように、弾性片５が変位されることなく、変位部２１が下方に撓み、図７の仮想線で示すような弾性片５の過度な変形を防止することができる。このような変位部２１は、挿入部５５と、支点部２３とを備えている。
【００４２】
挿入部５５は、変位部２１と変位部２１が撓む方向に位置する底壁部５７との間に設けられている。この挿入部５５には、第１ハウジング９と第２ハウジング１１とが嵌合するときに、第１ハウジング９の開口３３から挿入される第２ハウジング１１のリブ２５が挿入される。このように挿入部５５にリブ２５を挿入することにより、変位部２１の下方への撓みが規制され、変位部２１と端子７の弾性片５との当接によって変位部２１が弾性片５の付勢力に抗して弾性片５を変位させることができる。
【００４３】
支点部２３は、変位部２１の先端側に上方に向けて突設されている。この支点部２３は、ロック部１９の揺動が最大となったとき、詳細にはロック部１９の係止凸部４５が被ロック部１７の頂面に当接されたときに、端子７の弾性片５，５に当接し、弾性片５，５の変位を最大にさせる。
【００４４】
このように支点部２３によって端子７の弾性片５，５の変位を最大にさせることにより、ロック部１９の揺動が最大となったとき、すなわち第１ハウジング９と第２ハウジング１１とが半嵌合状態であるときに、接触部３，３と相手端子１５，１５の被接触部１３，１３とが接触することを確実に防止することができる。
【００４５】
このように構成されたコネクタ１は、まず、第１ハウジング９の収容室３１の開口から端子７を挿入し、端子７の基部２７を挿入溝２９に挿入して端子７を収容室３１内に配置する。このとき、端子７の弾性片５が変位部２１と当接するが、変位部２１が撓むことにより、弾性片５の変位を抑制して端子７を組付けることができる。
【００４６】
次に、各部材が収容配置された第２ハウジング１１と第１ハウジング９とを嵌合させる。このとき、第１ハウジング９の開口３３から第２ハウジング１１のリブ２５が挿入され、変位部２１の撓み方向の間に設けられた挿入部５５にリブ２５が挿入され、変位部２１の撓みが規制される。
【００４７】
第１ハウジング９と第２ハウジング１１との嵌合開始では、ロック部１９の係止凸部４５が被ロック部１７に当接してロック部１９が揺動を開始し、このロック部１９の揺動によって端子７の位置も変動される。この端子７の位置変動により、弾性片５が変位部２１と当接し、弾性片５の変位が開始される。
【００４８】
次に、ロック部１９の係止凸部４５が被ロック部１７の頂面に当接されロック部１９の揺動が最大になったときには、端子７の弾性片５が変位部２１の支点部２３に当接され、弾性片５の変位が最大となる。これにより、端子７の接触部３と相手端子１５の被接触部１３とを離間でき、端子７と相手端子１５との導通を防止して第１ハウジング９と第２ハウジング１１との半嵌合状態を検知することができる。
【００４９】
そして、第１ハウジング９と第２ハウジング１１とが正規嵌合状態となったときには、ロック部１９の係止凸部４５が被ロック部１７に係止されると共に、端子７の弾性片５と変位部２１との当接が解除され、弾性片５の付勢力によって接触部３が相手端子１５の被接触部１３に接触される。この接触により、端子７を介して一対の相手端子１５，１５が導通され、第１ハウジング９と第２ハウジング１１とが正規嵌合状態となったことを検知することができる。
【００５０】
このようなコネクタ１では、端子７を支持するロック部１９が弾性片５の付勢方向に揺動可能に設けられ、ロック部１９の揺動により弾性片５と当接して弾性片５の付勢力に抗して弾性片５を変位させる変位部２１が弾性片５と対向して設けられているので、端子７をロック部１９に支持させた状態で、ロック部１９に弾性片５の付勢力が入力される部分がない。
【００５１】
また、端子７の弾性片５と対向して設けられた変位部２１は、弾性片５の付勢方向に撓み可能に設けられているので、端子７の第１ハウジング９への組付時に、変位部２１と弾性片５とが干渉しても、変位部２１が撓むことにより、弾性片５の過度な変形を防止することができる。
【００５２】
従って、このようなコネクタ１では、端子７の組付における弾性片５の過度な変形を防止し、端子７と相手端子１５との導通不良を防止することができる。
【００５３】
また、変位部２１には、ロック部１９の揺動が最大となったときに端子７の弾性片５の変位を最大にさせる支点部２３が設けられているので、ロック部１９の揺動が最大となる第１ハウジング９と第２ハウジング１１との半嵌合状態で、弾性片５の変位が最大となって端子７の接触部３が相手端子１５の被接触部１３から離間され、接触部３と被接触部１３とが接触することがなく、端子７と相手端子１５とが導通することを防止することができる。
【００５４】
さらに、変位部２１の付勢力は、弾性片５の付勢力より弱く設定されているので、端子７の第１ハウジング９への組付時に、変位部２１と弾性片５とが干渉しても、弾性片５を変位させることなく、変位部２１を撓ませることができ、端子７の組付における弾性片５の変形を確実に防止することができる。
【００５５】
一方、第１ハウジング９と第２ハウジング１１とが嵌合するときには、第２ハウジング１１に設けられたリブ２５が変位部２１の撓み方向の間に挿入され、端子７の弾性片５との当接による変位部２１の撓みを規制するので、変位部２１が第１ハウジング９と第２ハウジング１１との嵌合状態に合わせて弾性片５を変位させることができる。
【００５６】
なお、本発明の実施の形態に係るコネクタでは、変位部の弾性片と対向する対向面に支点部を突設させているが、これに限らず、例えば、変位部の弾性片と対向する対向面を円形状に形成させ、この円形状の対向面において弾性片の変位を最大にさせる位置に支点部を設定してもよい。
【符号の説明】
【００５７】
１…コネクタ
３…接触部
５…弾性片
７…端子
９…第１ハウジング
１１…第２ハウジング
１３…被接触部
１５…相手端子
１７…被ロック部
１９…ロック部
２１…変位部
２３…支点部
２５…リブ
【図１】
2014229461.tif 000003
【図２】
2014229461.tif 000004
【図３】
2014229461.tif 000005
【図４】
2014229461.tif 000006
【図５】
2014229461.tif 000007
【図６】
2014229461.tif 000008
【図７】
2014229461.tif 000009